(57)【要約】【目的】さまざまな大きさや形状の眼鏡フレーム末端に対応することのできる眼鏡フレーム用紐バンドを提供する。【構成】首掛け用の紐（２）と、その紐の両末端に設けられた、眼鏡フレーム（４）を差し込むための保持具（３）とからなる。前記保持具にはそれぞれ長手方向に未貫通穴が設けられていると共にこの未貫通穴に対して交差する方向に貫通孔が設けられている。本発明によれば、次のような使用法が可能である。（１）眼鏡フレーム末端を保持具の未貫通穴に対して直線方向に差し込んで使用する。（２）前記貫通孔を利用して眼鏡フレームに対して保持具を交差する方向に取り付ける。（３）前記未貫通穴と前記貫通孔の１つを利用することにより、保持具を眼鏡フレームに対して傾斜させて取り付ける。【選択図】図３
2005070248.tif 000002
【特許請求の範囲】
【請求項１】
首掛け用の紐（２）と、その紐の両末端に設けられた、眼鏡フレーム（４）を差し込むための保持具（３）とからなり、
前記保持具（３）にはそれぞれ長手方向に未貫通穴（３１）が設けられていると共に、この未貫通穴（３１）に対して交差する方向に貫通孔（３２）が設けられていることを特徴とする眼鏡フレーム用紐バンド（１）。
【請求項２】
前記貫通孔（３２）は前記未貫通穴の壁に２つの孔（３２ａ，３２ｂ）となって現れている請求項１記載の眼鏡フレーム用紐バンド。
【請求項３】
前記貫通孔（３２）を利用して眼鏡フレームに対して保持具を交差する方向に取り付けることのできる請求項１記載の眼鏡フレーム用紐バンド。
【請求項４】
前記未貫通穴（３１）と前記貫通孔の１つ（３２ａ）を利用することにより、保持具（３）を眼鏡フレーム（４）に対して傾斜させて取り付けることのできる請求項１記載の眼鏡フレーム用紐バンド。
【発明の詳細な説明】
【技術分野】
【０００１】
本発明は眼鏡フレーム用紐バンドに関する。この紐バンドは、例えば、激しい運動中に眼鏡が外れて落ちたり、一時的に外した眼鏡を置き忘れたりするのを防止するために使用される。
【背景技術】
【０００２】
この種の紐バンドとしては例えば下記特許文献に記載するようなものが知られている。
【特許文献１】実開昭４９−３２６４５号公報
【特許文献２】実公昭６４−６４９１号公報
【特許文献３】実開平１−１５３５２３号公報
【特許文献４】アメリカ特許第５５７５０４２号公報
【特許文献５】アメリカ特許第６１８２３３４号公報
【特許文献６】アメリカ意匠第３２８９０８号公報
【特許文献７】アメリカ意匠第３０９６１９号公報
【特許文献８】アメリカ意匠第３７１１５４号
【発明の開示】
【発明が解決しようとする課題】
【０００３】
上記従来技術は、基本的に、首掛け用の紐と、その紐の両末端に設けられた、眼鏡フレームを差し込むための保持具とからなる。上記従来技術は、次のように分類することができる。
タイプ１：保持具の中に眼鏡フレーム末端を直線方向に差し込んで使用するもの  −  特許文献２，４５，６，７
タイプ２：眼鏡フレームの途中で保持具とつないでいるもの  −  特許文献１，３，８
【０００４】
タイプ２のような紐バンドが現れたのは、おそらく眼鏡フレームの大きさや形状が眼鏡により少しずつ異なってタイプ１では対応しきれなくなってきたためであろうと思われる。しかし、タイプ２では、金属や堅いプラスチックからなる眼鏡フレームの中間部に対してクリップやリング状の紐で固定しているため、保持力に不安が残る。
【０００５】
本発明は、基本的にはタイプ１型の紐バンドであるが、タイプ２型としても使用可能であり、その結果、さまざまな大きさや形状の眼鏡フレーム末端に対応することのできるものを提供することを目的とする。
【課題を解決するための手段】
【０００６】
本発明の眼鏡フレーム用紐バンドは、首掛け用の紐と、その紐の両末端に設けられた、眼鏡フレームを差し込むための保持具とからなり、前記保持具にはそれぞれ長手方向に未貫通穴が設けられていると共にこの未貫通穴に対して交差する方向に貫通孔が設けられていることを特徴とする。
【発明の効果】
【０００７】
本発明の眼鏡フレーム用紐バンドによれば、前記未貫通穴を利用して前記タイプ１のように使用することができるだけでなく、前記貫通孔を利用して眼鏡フレームに対して交差する方向に取り付けてタイプ２型としても使用可能である。さらに、眼鏡フレームに対して明確に傾斜させて取り付けたりすることができる。例えば、眼鏡フレーム末端が太いものは前記未貫通穴を使用し、細いものは貫通孔を使用するというように、使い分けることができる。その結果、本発明の眼鏡フレーム用紐バンドは、さまざまな大きさや形状の眼鏡フレーム末端に対応することのできるものとなった。
【発明を実施するための最良の形態】
【０００８】
前記貫通孔は、例えば、前記未貫通穴の壁に２つの長孔となって現れる。物理的に可能であれば貫通孔は３以上でもよい。
本発明では次のような使用法が可能である。
（１）眼鏡フレーム末端を保持具の未貫通穴に対して直線方向に差し込んで使用する。
（２）前記貫通孔を利用して眼鏡フレームに対して保持具を交差する方向に取り付ける。「交差」には「直交」だけでなく、角度を持って交差すること、すなわち、傾斜も含む。
（３）前記未貫通穴と前記貫通孔の１つを利用することにより、保持具を眼鏡フレームに対して明確に傾斜させて取り付ける。
【実施例１】
【０００９】
以下、添付の図面に基づき、本発明の実施例を説明する。
【００１０】
図１は本発明の１実施例に係る眼鏡フレーム用紐バンド１の使用状態を示す斜視図である。図２（ａ）（ｂ）（ｃ）は、首掛け用紐２と保持具３の接続状態を示すもので、それぞれ平面図、側面図及び右側面図である。（ｄ）は（ｂ）の縦断面図である。
【００１１】
この眼鏡フレーム用紐バンド１は、首掛け用の紐２と、その紐の両末端に設けられた、眼鏡フレーム末端４を差し込むための保持具３とからなる。
【００１２】
首掛け用の紐２には長さ調節用の紐止め具２１を設けることが好ましい。紐止め具自体は周知である。
【００１３】
図２に示すように、各保持具３には、長手方向に未貫通穴３１が設けられていると共に、この未貫通穴３１に対して垂直方向に貫通孔３２が設けられている。貫通孔は未貫通穴の壁に開けられた２つの長孔３２ａ，３２ｂとなって現れる。
【００１４】
首掛け用の紐２と保持具３とは、紐末端２２が保持具後端に射出成型により埋設される形で固定されている。符号３３は射出成型時に紐２を押さえるために使用した金型ピンの跡である。保持具３は軟質プラスチック（例えばウレタン樹脂）又はゴムで成型するのが好ましい。
【００１５】
次に図３に基づいて、本発明の眼鏡フレーム用紐バンドの使用法を説明する。
【００１６】
（ａ）は従来技術で説明したタイプ１の使用法である。眼鏡フレーム末端４を保持具３の未貫通穴３１に対して直線方向に差し込んで使用する。
【００１７】
（ｂ）（ｃ）は、本発明に特有の使用法である。（ｂ）では、保持具の貫通孔３２を利用することにより、眼鏡フレーム４に対して交差する方向に取り付けて使用する。この実施例ではほぼ垂直方向である。  （ｃ）では、未貫通穴３１と貫通孔の１つ３２ａを利用することにより、眼鏡フレームに対して傾斜させて取り付けて使用する。
【図面の簡単な説明】
【００１８】
【図１】本発明の１実施例に係る眼鏡フレーム用紐バンドの使用状態を示す斜視図である。
【図２】（ａ）（ｂ）（ｃ）は、首掛け用紐と保持具の接続状態を示すもので、それぞれ平面図、側面図及び右側面図である。（ｄ）は（ｂ）の縦断面図である。
【図３】（ａ）（ｂ）（ｃ）は、本発明の眼鏡フレーム用紐バンドの３つの使用法を示す斜視図である。
【符号の説明】
【００１９】
１    眼鏡フレーム用紐バンド
２    紐
３    保持具
３１  未貫通穴
３２  貫通孔
３２ａ，３２ｂ    長孔
４    眼鏡フレーム
【図１】
2005070248.tif 000003
【図２】
2005070248.tif 000004
【図３】
2005070248.tif 000005